【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  同時並列作動を行う複数のポンプによって流体を送出するためのポンプ制御システムにおいて、前記制御システムは、
制御変数を計測し、複数の異なる出力信号を送出する、主制御装置と、
副制御装置であって、前記副制御装置は、前記複数のポンプの性能を制御するため前記複数のポンプにそれぞれ取り付けられ、制御変数の変化に対する一つの作動ポンプの応答が別の作動ポンプの応答とは異なるように、異なる副制御装置には異なる信号が与えられるように構成された、前記副制御装置と、
を有する、制御システム。
【請求項２】  遅延補償ブロックによって前記信号のうちの一つの信号を変化させ、前記変化させた信号と関連した前記副制御装置の応答を別の前記副制御装置よりも遅延させるように構成された、請求項１に記載の制御システム。
【請求項３】  前記主制御装置は、前記制御変数の計測に応じて一つの信号を受け取り、複数の同一信号を送出する信号スプリッターを更に有する、請求項２に記載の制御システム。
【請求項４】  前記遅延補償ブロックは、前記スプリッターからの前記同一信号のうちの少なくとも一つを変化させるように構成された、請求項３に記載の制御システム。
【請求項５】  前記遅延補償ブロックは、前記遅延補償ブロックから出る信号の単位時間当りの強さを、遅延補償ブロックによって修正されていない別の信号よりも更に緩慢に変化させるように構成された、請求項４に記載の制御システム。
【請求項６】  一つのポンプが、計測された変数の変化に対して緩慢に応答することにより、同時に作動する二つのポンプが互いに干渉しないように構成された、請求項５に記載の制御システム。
【請求項７】  前記遅延補償ブロックにより影響が及ぼされたポンプは、前記計測された変数における小さな変化に対する応答が緩慢過ぎることによって、実際には、前記主制御装置から信号を直接受け取る別のポンプが、このような計測された変数の変化に対して実質的に応答するポンプであるように構成された、請求項６に記載の制御システム。
【請求項８】  前記変化させた信号を受け取る前記ポンプは、前記計測された変数に対する大きな変化が起こったとき、変化させていない信号を受け取る別のポンプよりも緩慢に応答してその出力を変化させ、両ポンプが同時に停止しないように構成された、請求項２に記載の制御システム。
【請求項９】  前記変化させていない信号を受け取るポンプは、最小流バルブが開放するまで前記計測された変数の大きな変化に応答してその出力流を迅速に減少し、これと同時に、前記変化させた信号を受け取るポンプは、その流れ出力を更に緩慢に変化させ、適切な前方流体流を維持し、前記計測された変数を所望の値にするように構成された、請求項８に記載の制御システム。
【請求項１０】  計測された変数の変化に対して一方のポンプが緩慢に応答することにより、同時に作動している二つのポンプが互いに干渉しないように構成された、請求項１に記載の制御システム。
【請求項１１】  前記計測された変数の大きな変化に応じて、応答の速いポンプがその出力を急激に変化させて計測された変数を制御し、緩慢に応答するポンプがその出力を徐々に変化させ、適当な前方流体流を維持し、前記計測された変数を所望の値にするように構成された、請求項１に記載の制御システム。
【請求項１２】  前記主制御装置は、前記応答が速いポンプの出力が急激に減少することを検出したとき、前記緩慢に応答するポンプの応答性を自動的に再変更し、以前の応答が速いポンプの応答性を与えるように構成された、請求項１１に記載の制御システム。
【請求項１３】  計測された変数を制御する方法であって、前記方法は、並列に配管され且つタンデム型で作動するポンプの出力を調整する制御システムを使用する、前記方法において、前記方法は、
前記計測された変数を検出する工程と、
少なくとも二つのポンプの出力を制御する工程であって、一方が先行ポンプに指定され、他方が遅延ポンプに指定され、前記ポンプには、個々に、独立した制御装置が設けられた、前記少なくとも二つのポンプの出力を制御する工程と、
前記先行ポンプの出力は、前記計測された変数の変化に応答して前記遅延ポンプに何等かの出力変化があったときの出力変化よりも、急速に変化するように、前記検出する工程で発生した異なる信号を前記制御装置に提供する工程と、
を含む、前記方法。
【請求項１４】  前記検出に応じた複数の信号を発生する工程と、
前記信号の一つを遅延補償ブロックに通過させ、前記遅延補償ブロックに関連したポンプ制御装置の応答速度を低下させる工程と、
を更に有する、請求項１３に記載の方法。
【請求項１５】  各ポンプをタービンで駆動する工程と、
前記制御装置の一つによって前記各タービンへの入力を調整する工程と、
を更に有する、請求項１４に記載の方法。
【請求項１６】  前記タービンを蒸気で駆動する工程と、
前記各タービンに蒸気を供給する流れバルブを、前記制御装置の一つで制御する工程と、
を更に有する、請求項１５に記載の方法。
【請求項１７】  前記遅延ポンプに信号を供給して前記遅延ポンプに関連する制御装置の応答速度を低下させ、これによって、計測された変数の設定点を保持するときの出力補正運動において、ポンプが互いに干渉しないようにする工程を更に有する、請求項１３に記載の方法。
【請求項１８】  前記遅延ポンプに信号を提供して前記遅延ポンプに関連した制御装置の応答速度を低下させ、これによって、ポンプ出力に大きな変化が必要なときには前記先行ポンプの容量を迅速に変化させる一方で、前記遅延ポンプに設けられた制御装置をより緩慢に応答させて、前記計測された変数を制御する適当な前方流体流を維持する工程を更に有する、請求項１７に記載の方法。
【請求項１９】  前記先行ポンプの出力の減少時に前記先行ポンプに設けられた最小流リサイクルバルブを作動させる工程と、
前記最小流リサイクルバルブの作動に応じて、前記先行ポンプをオフラインにする工程と、
前記遅延ポンプのみで前記計測された変数の自動制御を維持する工程であって、前記遅延ポンプは、このとき、前記遅延補償ブロックなしで先行ポンプ位置で作動する、前記維持する工程と、
を更に有する、請求項１８に記載の方法。
【請求項２０】  前記遅延補償ブロックから信号を受け取る前記制御装置の感度を十分に下げ、前記ポンプ間で必要とされる出力の均衡を図る動作中に、制御装置が互いに干渉しないようにする工程を更に有する、請求項１４に記載の方法。
【請求項２１】  前記遅延補償ブロックから信号を受け取る前記制御装置の感度を十分に下げ、前記計測された変数の大きな変化に応じて、前記先行ポンプがその容量を迅速に変化させる一方で、これと同時に、前記遅延ポンプが前記先行ポンプよりも緩慢に応答する間、前記遅延ポンプは適当な前方流体流を維持することが可能で且つ前記計測された変数を所望の値にするのに十分な感度を備えているように構成された工程を更に有する、請求項１４に記載の方法。
【請求項２２】  前記遅延ポンプの感度を自動的に上げ、前記先行ポンプから出力の大幅な低下を検出したとき、前記遅延ポンプが前記計測された変数の大きな変化に応じて更に迅速に応答するように構成された、請求項２１に記載の方法。
【請求項２３】  前記先行ポンプがその流れ出力を所定の値まで減少させたときに、最小流リサイクルバルブを開放させる工程と、
前記先行ポンプを遮断する工程と、
前記遅延ポンプから前記遅延補償ブロックを排除する工程と、
前記遅延補償ブロックなしで作動する一つの遅延ポンプのみで、前記計測された変数を自動的に制御する工程と、
を更に有する、請求項２１に記載の方法。